(57)【要約】【課題】ポンプ内を常に水で満たすことができ、水を直ちに移送することができる給水装置を提供する。【解決手段】給水装置は、ポンプ１と、ポンプ１の吸込口１ａに接続された吸込管２と、ポンプ１の吐出口１ｂに接続された吐出管３と、吐出管３に取り付けられた開閉弁５と、ポンプ１の吐出口１ｂと開閉弁５との間の位置で吐出管３に接続された分岐管６と、分岐管６に接続された呼水タンク７と、呼水タンク７の上端７ａに連結された大気開放弁９とを備える。【選択図】図１
2018066278.tif 000002
【特許請求の範囲】
【請求項１】
ポンプと、
前記ポンプの吸込口に接続された吸込管と、
前記ポンプの吐出口に接続された吐出管と、
前記吐出管に取り付けられた開閉弁と、
前記ポンプの前記吐出口と前記開閉弁との間の位置で前記吐出管に接続された分岐管と、
前記分岐管に接続された呼水タンクと、
前記呼水タンクの上端に連結された大気開放弁とを備えていることを特徴とする給水装置。
【請求項２】
前記ポンプ、前記開閉弁、および前記大気開放弁の動作を制御する制御装置と、
前記制御装置に接続され、前記呼水タンク内の第１の水位、および前記第１の水位よりも低い第２の水位を検知する水位検知器とをさらに備えたことを特徴とする請求項１に記載の給水装置。
【請求項３】
前記制御装置は、
前記呼水タンク内の水位が前記第２の水位まで低下したことを示す信号を前記水位検知器から受けた後、前記開閉弁が閉じられていることを確認し、前記ポンプを始動させ、前記ポンプを始動させると同時またはその後に、前記大気開放弁を開き、
前記呼水タンク内の水位が前記第１の水位に達したことを示す信号を前記水位検知器から受けた後、前記開閉弁を閉じた状態に維持しつつ、前記大気開放弁を閉じ、前記大気開放弁を閉じると同時またはその後に、前記ポンプを停止することを特徴とする請求項２に記載の給水装置。
【請求項４】
前記制御装置は、
前記呼水タンク内の水を入れ替えるときには、前記水位検知器から送られる前記第１の水位に達したことを示す信号を、所定時間無効化した状態で、前記開閉弁が閉じられていることを確認し、前記ポンプを始動させ、前記ポンプを始動させると同時またはその後に、前記大気開放弁を開き、
前記所定時間が経過した後、前記開閉弁を閉じた状態に維持しつつ、前記大気開放弁を閉じ、前記大気開放弁を閉じると同時またはその後に、前記ポンプを停止することを特徴とする請求項２に記載の給水装置。
【請求項５】
前記呼水タンクの底部に連結されたドレイン弁をさらに備えたことを特徴とする請求項１乃至３のいずれか一項に記載の給水装置。
【請求項６】
ポンプと、前記ポンプの吸込口に接続された吸込管と、前記ポンプの吐出口に接続された吐出管と、前記吐出管に取り付けられた開閉弁と、前記ポンプの前記吐出口と前記開閉弁との間の位置で前記吐出管に接続された分岐管と、前記分岐管に接続された呼水タンクと、前記呼水タンクの上端に連結された大気開放弁とを備えた給水装置の運転方法であって、
前記開閉弁を閉じ、前記ポンプを始動し、前記ポンプを始動すると同時またはその後に、前記大気開放弁を開くことで、前記吸込管、前記吐出管、および前記分岐管を通じて、水を前記呼水タンクに移送し、
水を前記呼水タンクに移送した後に前記大気開放弁を閉じ、
前記大気開放弁が閉じられた状態で、前記ポンプを始動し、前記ポンプを始動すると同時またはその後に、前記開閉弁を開くことで、前記吸込管および前記吐出管を通じて、水を外部に移送することを特徴とする方法。
【請求項７】
前記呼水タンク内の水位が第１の水位よりも低い第２の水位まで低下した後、前記開閉弁が閉じられていることを確認し、前記ポンプを始動し、前記ポンプを始動すると同時またはその後に、前記大気開放弁を開き、
前記呼水タンク内の水位が前記第１の水位に達した後、前記開閉弁を閉じた状態に維持しつつ、前記大気開放弁を閉じ、前記大気開放弁を閉じると同時またはその後に、前記ポンプを停止することを特徴とする請求項６に記載の方法。
【発明の詳細な説明】
【技術分野】
【０００１】
本発明は、給水装置および給水装置の運転方法に関するものである。
【背景技術】
【０００２】
ポンプや配管などの要素から構成された給水装置では、水を移送（揚水）するために、ポンプの始動前に、ポンプの内部を水で満たす必要がある。このような工程は呼水と呼ばれる。ポンプは呼水が行われた後に始動され、水はポンプの駆動によって移送される。
【先行技術文献】
【特許文献】
【０００３】
【特許文献１】実開昭６２−１０５３９３号公報
【特許文献２】実開昭５６−４５１８０号公報
【特許文献３】特開昭５８−１０７８９６号公報
【発明の概要】
【発明が解決しようとする課題】
【０００４】
呼水を行う場合、真空装置でポンプの内部を減圧し、水をポンプの内部まで吸い上げるのが一般的である。しかしながら、ポンプの駆動後にポンプが一旦停止されると、ポンプ内の水はポンプから流出してしまうため、ポンプを再始動するためには、再び呼水を行う必要がある。したがって、水を断続的に移送する場合、呼水を何度も行わなければならず、結果として、水を移送するために多くの時間が必要となる。
【０００５】
さらに、水を断続的に移送する場合、真空装置を何度も駆動して、呼水を何度も行わなければならず、消費電力が増えてしまう。さらに、真空装置を頻繁に駆動すると、真空装置が故障するおそれがある。この場合、真空装置を修理したり、故障した真空装置を新たな真空装置に交換する必要があり、コストがかかる。
【０００６】
本発明は、上述した従来の問題点に鑑みてなされたもので、ポンプ内を常に水で満たすことができ、水を直ちに移送することができる給水装置を提供することを目的とする。さらに、本発明は、このような給水装置の運転方法を提供することを目的とする。
【課題を解決するための手段】
【０００７】
上述した目的を達成するために、本発明の一態様は、ポンプと、前記ポンプの吸込口に接続された吸込管と、前記ポンプの吐出口に接続された吐出管と、前記吐出管に取り付けられた開閉弁と、前記ポンプの前記吐出口と前記開閉弁との間の位置で前記吐出管に接続された分岐管と、前記分岐管に接続された呼水タンクと、前記呼水タンクの上端に連結された大気開放弁とを備えていることを特徴とする給水装置である。
【０００８】
本発明の好ましい態様は、前記ポンプ、前記開閉弁、および前記大気開放弁の動作を制御する制御装置と、前記制御装置に接続され、前記呼水タンク内の第１の水位、および前記第１の水位よりも低い第２の水位を検知する水位検知器とをさらに備えたことを特徴とする。
本発明の好ましい態様は、前記制御装置は、前記呼水タンク内の水位が前記第２の水位まで低下したことを示す信号を前記水位検知器から受けた後、前記開閉弁が閉じられていることを確認し、前記ポンプを始動させ、前記ポンプを始動させると同時またはその後に、前記大気開放弁を開き、前記呼水タンク内の水位が前記第１の水位に達したことを示す信号を前記水位検知器から受けた後、前記開閉弁を閉じた状態に維持しつつ、前記大気開放弁を閉じ、前記大気開放弁を閉じると同時またはその後に、前記ポンプを停止することを特徴とする。
本発明の好ましい態様は、前記制御装置は、前記呼水タンク内の水を入れ替えるときには、前記水位検知器から送られる前記第１の水位に達したことを示す信号を、所定時間無効化した状態で、前記開閉弁が閉じられていることを確認し、前記ポンプを始動させ、前記ポンプを始動させると同時またはその後に、前記大気開放弁を開き、前記所定時間が経過した後、前記開閉弁を閉じた状態に維持しつつ、前記大気開放弁を閉じ、前記大気開放弁を閉じると同時またはその後に、前記ポンプを停止することを特徴とする。
本発明の好ましい態様は、前記呼水タンクの底部に連結されたドレイン弁をさらに備えたことを特徴とする。
【０００９】
本発明の他の態様は、ポンプと、前記ポンプの吸込口に接続された吸込管と、前記ポンプの吐出口に接続された吐出管と、前記吐出管に取り付けられた開閉弁と、前記ポンプの前記吐出口と前記開閉弁との間の位置で前記吐出管に接続された分岐管と、前記分岐管に接続された呼水タンクと、前記呼水タンクの上端に連結された大気開放弁とを備えた給水装置の運転方法であって、前記開閉弁を閉じ、前記ポンプを始動し、前記ポンプを始動すると同時またはその後に、前記大気開放弁を開くことで、前記吸込管、前記吐出管、および前記分岐管を通じて、水を前記呼水タンクに移送し、水を前記呼水タンクに移送した後に前記大気開放弁を閉じ、前記大気開放弁が閉じられた状態で、前記ポンプを始動し、前記ポンプを始動すると同時またはその後に、前記開閉弁を開くことで、前記吸込管および前記吐出管を通じて、水を外部に移送することを特徴とする。
【００１０】
本発明の好ましい態様は、前記呼水タンク内の水位が第１の水位よりも低い第２の水位まで低下した後、前記開閉弁が閉じられていることを確認し、前記ポンプを始動し、前記ポンプを始動すると同時またはその後に、前記大気開放弁を開き、前記呼水タンク内の水位が前記第１の水位に達した後、前記開閉弁を閉じた状態に維持しつつ、前記大気開放弁を閉じ、前記大気開放弁を閉じると同時またはその後に、前記ポンプを停止することを特徴とする。
【発明の効果】
【００１１】
本発明によれば、大気開放弁を閉じることにより、呼水タンクへの空気の流入が阻止されるため、ポンプはその内部に水を保持することができる。したがって、ポンプを始動するたびに呼水を行う必要はなくなり、水を直ちに移送することができる。
【図面の簡単な説明】
【００１２】
【図１】給水装置の一実施形態を示す図である。
【図２】給水装置の他の実施形態を示す図である。
【発明を実施するための形態】
【００１３】
以下、本発明に係る給水装置の実施形態について図面を参照して詳細に説明する。なお、図１および図２において、同一または相当する構成要素には、同一の符号を付して重複した説明を省略する。
【００１４】
図１は、給水装置の一実施形態を示す図である。図１に示すように、給水装置は、ポンプ１と、ポンプ１の吸込口１ａに接続された吸込管２と、ポンプ１の吐出口１ｂに接続された吐出管３と、吐出管３に取り付けられた開閉弁５と、ポンプ１の吐出口１ｂと開閉弁５との間の位置で吐出管３に接続された分岐管６と、分岐管６に接続された呼水タンク７と、大気開放管８を介して呼水タンク７の上端７ａに連結された大気開放弁９とを備えている。
【００１５】
ポンプ１、管３，６，８、呼水タンク７、および弁５，９は、吸込水槽１５の吸込水位ＳＷＬよりも高い位置に配置されている。呼水タンク７はポンプ１よりも高い位置に配置されている。吸込管２は吸込水槽１５から地上Ｇ上のポンプ１まで延びている。吸込管２の一端部（水入口）２ａは吸込水槽１５内の水中に没されており、吸込管２の他端部２ｂはポンプ１の吸込口１ａに接続されている。吐出管３の一端部３ａはポンプ１の吐出口１ｂに接続されており、他端部３ｂは給水装置の外部、例えば、吐出水槽（図示しない）に接続されている。
【００１６】
ポンプ１はモータ１７に接続されている。ポンプ１内に水が満たされた状態でモータ１７が駆動されると、ポンプ１の羽根車（図示しない）が回転し、ポンプ１内の水は羽根車の回転によって昇圧され、吐出管３を通じて移送される。同時に、吸込水槽１５内の水は吸込管２を通じてポンプ１内に吸い込まれる。このようにして、吸込水槽１５内の水がポンプ１によって揚水される。
【００１７】
本実施形態において、吸込水槽１５内の「水」は、海水および淡水のみならず、ポンプ１で取り扱うことができる液体も含む。したがって、吸込水槽１５は、必ずしも水槽である必要はなく、例えば、海または池であってもよい。
【００１８】
大気開放管８の一端部８ａは呼水タンク７の上端７ａに接続されており、他端部８ｂは大気に連通している。大気開放弁９は大気開放管８に取り付けられている。大気開放弁９を開くと、呼水タンク７は大気開放され、大気開放弁９を閉じると、呼水タンク７への空気の流入が阻止される。なお、大気開放弁９は大気開放管８を介さずに呼水タンク７の上端７ａに直接接続されてもよい。
【００１９】
分岐管６の一端部６ａは吐出管３に接続されており、分岐管６の他端部６ｂは呼水タンク７の底部７ｂに接続されている。したがって、ポンプ１は、その動作によって、吸込水槽１５内の水を、吸込管２、吐出管３、および分岐管６を通じて、呼水タンク７に移送することができる。呼水タンク７は、ステンレスなどの金属から構成されてもよく、または樹脂から構成されてもよい。呼水タンク７は密封容器であり、分岐管６および大気開放弁９（より具体的には、大気開放管８）のみに連通している。
【００２０】
給水装置は、ポンプ１、開閉弁５、および大気開放弁９の動作を制御する制御装置１６をさらに備えている。モータ１７は制御装置１６に接続されており、制御装置１６は、モータ１７を介してポンプ１の動作を制御する。開閉弁５および大気開放弁９も制御装置１６に接続されており、開閉弁５の開閉および大気開放弁９の開閉は制御装置１６によって制御される。本実施形態では、開閉弁５および大気開放弁９は制御装置１６によって制御される制御弁（自動弁）である。大気開放弁９が制御装置１６によって開かれると呼水タンク７は大気開放され、大気開放弁９が制御装置１６によって閉じられると呼水タンク７への空気の流入が阻止される。
【００２１】
呼水タンク７には、呼水タンク７内の第１の水位ＷＬ１および第２の水位ＷＬ２を検知する水位検知器２０が取り付けられている。この水位検知器２０は制御装置１６に接続されている。水位検知器２０は、呼水タンク７内の水位が第１の水位ＷＬ１であることを示す信号、および呼水タンク７内の水位が第２の水位ＷＬ２であることを示す信号を制御装置１６に送るように構成されている。第１の水位ＷＬ１および第２の水位ＷＬ２は任意に決定される水位である。一実施形態では、第１の水位ＷＬ１は満水を示す水位であり、第２の水位ＷＬ２は満水と渇水との間の水位である。
【００２２】
水位検知器２０は、３つの電極棒２０ａ，２０ｂ，２０ｃを備えており、これら電極棒２０ａ，２０ｂ，２０ｃはこの順に長い。水位検知器２０は、最も長い電極棒２０ａとその他の電極棒２０ｂ，２０ｃとの間に電流が流れるか否かで、水の存在を検知する。つまり、水位検知器２０は、電極棒２０ａとその他の電極棒２０ｂ，２０ｃとの導通状態から呼水タンク７内の水位を検知するように構成されている。
【００２３】
最も長い電極棒２０ａはコモン電極棒であり、電極棒２０ｂの下端の位置は第２の水位ＷＬ２に対応しており、電極棒２０ｃの下端の位置は第１の水位ＷＬ１に対応している。電極棒２０ａと電極棒２０ｃとが導通せず、かつ電極棒２０ａと電極棒２０ｂとが導通するとき、呼水タンク７内の水位は第１の水位ＷＬ１と第２の水位ＷＬ２との間である。電極棒２０ａと電極棒２０ｃとが導通するとき、呼水タンク７内の水位は第１の水位ＷＬ１である。電極棒２０ａと電極棒２０ｃとが導通していないとき、呼水タンク７内の水位は第２の水位ＷＬ２以下である。
【００２４】
本実施形態では、水位検知器２０は３つの電極棒を備えているが、電極棒の数はこの実施形態に限定されない。さらに、本実施形態では、水位検知器２０は、複数の電極棒を用いた電極式水位検知器であるが、呼水タンク７内の水位を検知することができれば、水位検知器２０はこの実施形態に限定されない。水位検知器２０の他の例として、フロートスイッチ式水位検知器、および超音波式水位検知器が挙げられる。
【００２５】
フロートスイッチ式水位検知器は、呼水タンク７内の水位に従って上下動する浮子を用いてｏｎ／ｏｆｆ信号を発するフロートスイッチにより水位を検知する。超音波式水位検知器は、呼水タンク７の水面に向けて超音波を発射し、かつ水面からの反射波を受信するセンサを有する。超音波式水位検知器は、センサが超音波を発射してから反射波を受信するまでの反射時間を測定しており、この反射時間に基づいて水位を検知する。
【００２６】
本実施形態では、給水装置が排水機場などの現場に設置されたとき、ポンプ１の内部には水が存在していないため、ポンプ１を最初に始動する前に真空装置を用いて呼水を行う必要がある。以下、呼水を行う場合における給水装置の動作について説明する。まず、大気開放管８に真空装置（図示しない）を接続する。大気開放管８とは別個の真空ライン（図示しない）を呼水タンク７に接続し、真空装置をこの真空ラインに接続してもよい。
【００２７】
制御装置１６は開閉弁５を閉じ、かつ大気開放弁９を開き、この状態で真空装置は始動される。真空装置の駆動によって、大気開放弁９、呼水タンク７、管２，３，６，８、およびポンプ１の内部は減圧される。吸込水槽１５内の水は、吸込管２内に吸い込まれ、やがて、ポンプ１の内部は水で満たされる。水は、その後、吐出管３および分岐管６を通じて呼水タンク７に移送され、呼水タンク７内の水位は上昇する。
【００２８】
呼水タンク７内の水位が第１の水位ＷＬ１まで上昇すると、水位検知器２０は呼水タンク７内の水位が第１の水位ＷＬ１に到達したことを示す信号を制御装置１６に送る。制御装置１６は、この信号を受けると大気開放弁９を閉じる。呼水タンク７は密封容器であるため、大気開放弁９を閉じることにより、呼水タンク７への空気の流入が阻止され、呼水タンク７、管２，３，６、およびポンプ１の内部の水が排出されない程度の密封度を確保することができる。したがって、呼水タンク７、管２，３，６、およびポンプ１の内部の水は排出されず、ポンプ１の内部は水で満たされる。
【００２９】
吸込水槽１５内の水を給水装置の外部に移送する場合における給水装置の動作について説明する。まず、上述した呼水が行われた後、制御装置１６は、開閉弁５および大気開放弁９が閉じられていることを確認する。制御装置１６は、開閉弁５および大気開放弁９が閉じている状態で、ポンプ１（より具体的には、モータ１７）を始動させ、次いで開閉弁５を開く。すると、吸込水槽１５内の水は吸込管２、ポンプ１、および吐出管３を通じて外部に移送される。一実施形態では、制御装置１６はポンプ１を始動させると同時に開閉弁５を開いてもよい。
【００３０】
水の外部への移送を停止する場合、制御装置１６は、大気開放弁９を閉じた状態に維持しつつ、開閉弁５を閉じ、次いでポンプ１（より具体的には、モータ１７）を停止する。一実施形態では、制御装置１６は、開閉弁５を閉じると同時にポンプ１を停止してもよい。
【００３１】
本実施形態によれば、呼水タンク７はポンプ１よりも高い位置に配置されているため、ポンプ１の停止中に、ポンプ１の軸封部分や管２，３，６の接続部分などの箇所から水が漏洩してもポンプ１には呼水タンク７内の水が供給される。
【００３２】
水の漏洩に起因して呼水タンク７内の水が供給され続けると、呼水タンク７内の水位が低下し、やがて呼水タンク７内の水が枯渇してしまうおそれがある。そこで、本実施形態では、呼水タンク７内の水位が第１の水位ＷＬ１よりも低い第２の水位ＷＬ２まで低下すると、水位検知器２０は呼水タンク７内の水位が第２の水位ＷＬ２まで低下したことを示す信号を制御装置１６に送る。制御装置１６は、水位検知器２０からの信号を受けると、開閉弁５が閉じられていることを確認する。制御装置１６は、開閉弁５が閉じている状態で、ポンプ１を始動させ、次いで大気開放弁９を開く。一実施形態では、制御装置１６は、ポンプ１を始動させると同時に大気開放弁９を開いてもよい。
【００３３】
吸込水槽１５内の水が呼水タンク７に移送されると、呼水タンク７内の水位は徐々に上昇し、やがて、呼水タンク７内の水位は第１の水位ＷＬ１に達する。水位検知器２０は呼水タンク７内の水位が第１の水位ＷＬ１に達したことを示す信号を制御装置１６に送る。制御装置１６は水位検知器２０からの信号を受けると、開閉弁５を閉じた状態に維持しつつ、大気開放弁９を閉じ、次いでポンプ１を停止する。一実施形態では、制御装置１６は、ポンプ１を停止すると同時に大気開放弁９を閉じてもよい。
【００３４】
水が呼水タンク７内に長期間溜まると、呼水タンク７内の水が腐敗してしまうおそれがある。そこで、呼水タンク７内の水を定期的に入れ替えることが望ましい。本実施形態では、水の入れ替えのために、制御装置１６は、水位検知器２０から送られる第１の水位ＷＬ１に達したことを示す信号を、所定時間無効化した状態で、かつ開閉弁５を閉じた状態で、ポンプ１を始動させ、次いで大気開放弁９を開く。一実施形態では、制御装置１６は、ポンプ１を始動させると同時に大気開放弁９を開いてもよい。
【００３５】
吸込水槽１５内の水が呼水タンク７に移送され、呼水タンク７内の水位が徐々に上昇すると、やがて、呼水タンク７内の水位は第１の水位ＷＬ１に達する。その後、呼水タンク７の内部は水で満たされ、水は大気開放弁９（より具体的には、大気開放管８）を通じて外部に排出される。このようにして、呼水タンク７内の水を強制的に外部に排出することにより、呼水タンク７内の水を入れ替えることができる。水位検知器２０から送られる信号を無効化する時間は任意に決定されるが、例えば、呼水タンク７内の水の入れ替えに必要な時間である。
【００３６】
水位検知器２０から送られる信号を無効化する所定時間が経過した後、制御装置１６は、開閉弁５を閉じた状態に維持しつつ、大気開放弁９を閉じ、次いでポンプ１を停止する。一実施形態では、制御装置１６は、ポンプ１を停止すると同時に大気開放弁９を閉じる。
【００３７】
本実施形態によれば、呼水タンク７の上端７ａに連結された大気開放弁９を閉じることにより、呼水タンク７への空気の流入が阻止されるため、呼水タンク７、管２，３，６、およびポンプ１の内部の水は流出せず、ポンプ１の内部を常に水で満たすことができる。したがって、ポンプ１の停止後に水を移送する場合に、再び呼水を行う必要はなく、水を直ちに移送することができる。
【００３８】
上述したように、本実施形態では、開閉弁５および大気開放弁９は制御装置１６によって制御される制御弁であるが、開閉弁５および大気開放弁９は手動で開閉される手動弁であってもよい。一実施形態では、水位検知器２０は、呼水タンク７内の水位が第２の水位ＷＬ２まで低下すると警報を発報し、さらに、呼水タンク７内の水位が第１の水位ＷＬ１に達すると警報を発報するように構成される。作業者は、水位検知器２０による警報を受けて、開閉弁５および大気開放弁９を開閉する。このようにして、作業者は呼水タンク７内の水位を制御することができる。
【００３９】
大気開放弁９は逆止弁であってもよい。大気開放弁９が逆止弁である場合、大気開放弁９は、呼水タンク７から外部への流体（液体および空気）の移送を許容し、その一方で呼水タンク７への空気の流入を阻止するように構成されている。したがって、大気開放弁９が逆止弁である場合でも、呼水タンク７、管２，３，６、およびポンプ１の内部の水は排出されず、ポンプ１の内部を常に水で満たすことができる。
【００４０】
ポンプ１は空気との接触によって劣化しやすい部品を有していることがある。本実施形態によれば、ポンプ１の内部を常に水で満たすことができるため、このような部品を常時水に接触させることができ、部品の劣化を抑制することができる。結果として、ポンプ１の長寿命化を図ることができる。
【００４１】
さらに本実施形態によれば、真空装置を用いた呼水が一旦行われた後は、呼水を再度行う必要はない。したがって、真空装置を給水装置から取り外してもよい。
【００４２】
さらに本実施形態によれば、大気開放弁９を閉じることにより、ポンプ１はその内部に水を保持することができるため、水の排出を防止するための逆止弁（フート弁）を吸込管２の一端部２ａに設ける必要はない。このように、逆止弁を不要とすることにより、逆止弁のメンテナンスを行う必要はなく、逆止弁に付随して設けられる機器を不要とすることができる。結果として、給水装置全体のコストを低減することができる。
【００４３】
図２は給水装置の他の実施形態を示す図である。特に説明しない本実施形態の構成および動作は、上述した実施形態と同じであるので、その重複する説明を省略する。図２に示すように、給水装置は、ドレイン管２２を介して呼水タンク７の底部７ｂに連結されたドレイン弁２１をさらに備えている。本実施形態では、呼水タンク７は、分岐管６、大気開放弁９（より具体的には、大気開放管８）、およびドレイン弁２１（より具体的には、ドレイン管２２）のみに連通する密封容器である。
【００４４】
ドレイン管２２は呼水タンク７の底部７ｂに接続されており、ドレイン弁２１はドレイン管２２に取り付けられている。なお、ドレイン弁２１はドレイン管２２を介さずに呼水タンク７の底部７ｂに直接接続されてもよい。本実施形態では、ドレイン弁２１は制御装置１６に接続された制御弁（自動弁）であり、ドレイン弁２１の開閉は制御装置１６によって制御される。ただし、ドレイン弁２１は、手動で開閉される手動弁であってもよい。
【００４５】
ドレイン弁２１を開くことにより、呼水タンク７内の水はドレイン弁２１（およびドレイン管２２）を通じて外部に排出される。ドレイン弁２１を定期的に開くことにより、呼水タンク７内の水を定期的に入れ替えることができる。制御装置１６は、ポンプ１を駆動しつつドレイン弁２１および大気開放弁９を開いて呼水タンク７内の水を入れ替えてもよい。
【００４６】
これまで本発明の好ましい実施形態について説明したが、本発明は上述の実施形態に限定されず、その技術的思想の範囲内において種々異なる形態にて実施されてよいことは言うまでもない。
【符号の説明】
【００４７】
１      ポンプ
１ａ      吸込口
１ｂ      吐出口
２      吸込管
３      吐出管
５      開閉弁
６      分岐管
７      呼水タンク
７ａ      上端
７ｂ      底部
８      大気開放管
９      大気開放弁
１５      吸込水槽
１６      制御装置
１７      モータ
２０      水位検知器
２１      ドレイン弁
２２      ドレイン管
ＷＬ１    第１の水位
ＷＬ２    第２の水位
【図１】
2018066278.tif 000003
【図２】
2018066278.tif 000004